(57)【要約】【課題】イエロー、マゼンタ、又はシアンよりも明度の低い色を用いることで出力画像に生じる画像ムラを抑制することができる画像形成装置を得る。【解決手段】画像形成装置１０では、一次転写ロール５２Ｙの隣りに、一次転写ロール５２Ｇが配置され、一次転写ロール５２Ｇの隣りに一次転写ロール５２Ｖが配置されている。つまり、最も明度の低い低明度色の画像を転写ベルト５０に転写する一次転写ロール５２Ｖが、イエロー（Ｙ）のトナー画像を転写ベルト５０に転写する一次転写ロール５２Ｙの隣りに配置されていない。このため、イエロー（Ｙ）色（基準色）よりも低い明度の色を用いることで生じる出力画像の品質低下が抑制される。【選択図】図１
2016018041.tif 000002
【特許請求の範囲】
【請求項１】
周回しつつ画像が転写される転写体と、
イエロー、マゼンタ、シアン、黒からなる基準色の画像を転写し、黒以外の前記基準色を前記転写体の周回方向の最上流にて転写する第一転写部と、
前記第一転写部の前記周回方向の上流側に配置され、前記周回方向の最上流に配置された前記基準色の明度に比べて低い明度の色を含む前記基準色と異なる複数の色の画像を前記転写体に転写し、前記複数の色のうち最も明度の高い色の画像を前記周回方向の最下流で転写する第二転写部と、
を備える画像形成装置。
【請求項２】
周回しつつ画像が転写される転写体と、
イエロー、マゼンタ、シアン、黒からなる基準色の画像を転写し、黒以外の前記基準色を前記転写体の周回方向の最上流にて転写する第一転写部と、
前記第一転写部の前記周回方向の上流側に配置され、前記周回方向の最上流に配置された前記基準色の明度に比べて低い明度の色を含む前記基準色と異なる複数の色の画像を前記転写体に転写する第二転写部と、
複数の前記第二転写部の中で、最も明度の高い色の画像が前記周回方向の最下流で転写されない場合に警告する警告部材と、
を備える画像形成装置。
【発明の詳細な説明】
【技術分野】
【０００１】
本発明は、画像形成装置に関する。
【背景技術】
【０００２】
特許文献１には、イエロートナー、マゼンタトナー、シアントナー、及びブラックトナーに他に、オレンジトナー、及びグリーントナーを用いる画像形成装置が記載されている。そして、この画像形成装置では、イエロー、オレンジ、マゼンタ、シアン、グリーン、及びブラックの順番でトナー画像が転写ベルトに転写されるようになっている。
【先行技術文献】
【特許文献】
【０００３】
【特許文献１】特開２０１１−１７４９７０号公報
【発明の概要】
【発明が解決しようとする課題】
【０００４】
従来、画像形成装置では、出力画像の色域を広げるため、基準色（ＹＭＣＫ）以外に、複数の特殊色を用いることがある。
【０００５】
そして、周回する転写ベルトに各色のトナー画像を順次転写する構成において、特殊色のトナー画像が基準色のトナー画像に対して転写ベルトの周回方向の上流側で転写ベルトに転写される場合がある。このような場合に、基準色の中で最上流に配置される基準色の明度よりも、基準色の隣りに配置される特殊色の明度が低い場合に、出力画像の品質が低下することがある。
【０００６】
本発明の課題は、イエロー、マゼンタ、又はシアンよりも明度の低い色を用いることで出力画像に生じる画像ムラを抑制することである。
【課題を解決するための手段】
【０００７】
請求項１に係る画像形成装置は、周回しつつ画像が転写される転写体と、イエロー、マゼンタ、シアン、黒からなる基準色の画像を転写し、黒以外の前記基準色を前記転写体の周回方向の最上流にて転写する第一転写部と、前記第一転写部の前記周回方向の上流側に配置され、前記周回方向の最上流に配置された前記基準色の明度に比べて低い明度の色を含む前記基準色と異なる複数の色の画像を前記転写体に転写し、前記複数の色のうち最も明度の高い色の画像を前記周回方向の最下流で転写する第二転写部と、を備えることを特徴とする。
【０００８】
請求項２に係る画像形成装置は、周回しつつ画像が転写される転写体と、イエロー、マゼンタ、シアン、黒からなる基準色の画像を転写し、黒以外の前記基準色を前記転写体の周回方向の最上流にて転写する第一転写部と、前記第一転写部の前記周回方向の上流側に配置され、前記周回方向の最上流に配置された前記基準色の明度に比べて低い明度の色を含む前記基準色と異なる複数の色の画像を前記転写体に転写する第二転写部と、複数の前記第二転写部の中で、最も明度の高い色の画像が前記周回方向の最下流で転写されない場合に警告する警告部材と、を備えることを特徴とする。
【発明の効果】
【０００９】
請求項１の画像形成装置によれば、基準色に対して明度の低い色の画像を転写体に転写する第二転写部を基準色の画像を転写体に転写する第一転写部の隣りに配置する場合と比して、イエロー、マゼンタ、又はシアンよりも明度の低い色を用いることで出力画像に生じる画像ムラを抑制することができる。
【００１０】
請求項２の画像形成装置によれば、明度の低い色の画像を転写体に転写する第二転写部が基準色の画像を転写体に転写する第一転写部の隣りに配置されている際に警告する部材が備えられていない場合と比して、出力画像に画像ムラが生じる可能性があることをユーザに知らせることができる。
【図面の簡単な説明】
【００１１】
【図１】本発明の第１実施形態に係る画像形成装置の転写部等を示した構成図である。
【図２】（Ａ）（Ｂ）（Ｃ）本発明の第１実施形態に係る画像形成装置によってシート部材Ｐにトナー画像が転写される工程を示した工程図である。
【図３】（Ａ）（Ｂ）本発明の第１実施形態に係る画像形成装置によってシート部材Ｐにトナー画像が転写される工程を示した工程図である。
【図４】（Ａ）（Ｂ）本発明の第１実施形態に係る画像形成装置によってシート部材Ｐにトナー画像が転写される工程を示した工程図である。
【図５】（Ａ）（Ｂ）本発明の第１実施形態に係る画像形成装置によってシート部材Ｐにトナー画像が転写される工程を示した工程図である。
【図６】（Ａ）（Ｂ）本発明の第１実施形態に対する比較形態に係る画像形成装置によってシート部材Ｐにトナー画像が転写される工程を示した工程図である。
【図７】（Ａ）（Ｂ）本発明の第１実施形態に対する比較形態に係る画像形成装置によってシート部材Ｐにトナー画像が転写される工程を示した工程図である。
【図８】本発明の第１実施形態に係る画像形成装置に用いられたイエロー色と特殊色等との明度差を表で示した図面である。
【図９】本発明の第１実施形態に係る画像形成装置のトナー画像形成部を示した構成図である。
【図１０】本発明の第１実施形態に係る画像形成装置を示した構成図である。
【図１１】本発明の第１実施形態に係る画像形成装置の転写部等を示した構成図である。
【発明を実施するための形態】
【００１２】
本発明の実施形態に係る画像形成装置の一例を図１〜図１０に従って説明する。なお、各図に示す矢印Ｈは鉛直方向であって装置上下方向を示し、矢印Ｗは、水平方向であって装置幅方向を示す。
【００１３】
＜画像形成装置の全体構成＞
画像形成装置１０は、図１０に示されるように、電子写真方式により画像を形成する画像形成部１２と、画像が形成されるシート部材Ｐ（記録媒体の一例）をシート部材Ｐの搬送経路１６に沿って搬送する複数の搬送部材（符号省略）と、を備えている。
【００１４】
また、画像形成装置１０は、画像が形成されたシート部材Ｐを冷却する冷却部２０と、シート部材Ｐの湾曲を矯正する矯正部２２と、シート部材Ｐに形成された画像を検査する画像検査部２４と、を備えている。
【００１５】
さらに、画像形成装置１０は、シート部材Ｐの両面に画像を形成させるために、表面に画像が形成されたシート部材Ｐを反転させて再度画像形成部１２へ向けて搬送するための反転経路２６を備えている。
【００１６】
上記構成による画像形成装置１０では、画像形成部１２によって形成された画像（トナー画像）が、搬送経路１６に沿って搬送されるシート部材Ｐの表面に形成される。さらに、画像が形成されたシート部材Ｐは、冷却部２０、矯正部２２、画像検査部２４をこの順番で通って装置の外部へ排出される。
【００１７】
一方、シート部材Ｐの裏面に画像を形成する場合は、表面に画像が形成されたシート部材Ｐが反転経路２６に沿って搬送され、再度画像形成部１２でシート部材Ｐの裏面に画像が形成される。
【００１８】
（要部構成）
画像形成部１２は、図１に示されるように、各色のトナー画像を夫々形成する複数のトナー画像形成部３０と、トナー画像形成部３０で形成されたトナー画像をシート部材Ｐに転写する転写部３２とを備えている。さらに、画像形成部１２は、転写部３２によってシート部材Ｐに転写されたトナー画像をシート部材Ｐに定着する定着装置３４を備えている。
【００１９】
トナー画像形成部３０は、色ごとにトナー画像を形成するように複数備えられている。本実施形態では、バイオレット（Ｖ）、グリーン（Ｇ）、イエロー（Ｙ）、マゼンタ（Ｍ）、シアン（Ｃ）、ブラック（Ｋ）（黒）の計６色のトナー画像形成部３０が備えられている。図１に示す（Ｖ）、（Ｇ）、（Ｙ）、（Ｍ）、（Ｃ）、（Ｋ）は、上記各色を示している。
【００２０】
イエロー（Ｙ）、マゼンタ（Ｍ）、シアン（Ｃ）、及びブラック（Ｋ）の４色は、カラー画像を出力するための基準色であり、バイオレット（Ｖ）、及びグリーン（Ｇ）は、基準色とは異なる色であって、出力画像の色域を広げるための色（以下「特殊色」）である。
【００２１】
なお、以後の説明では、バイオレット（Ｖ）、グリーン（Ｇ）、イエロー（Ｙ）、マゼンタ（Ｍ）、シアン（Ｃ）、及びブラック（Ｋ）を区別する必要が無い場合は、符号に付するＶ、Ｇ、Ｙ、Ｍ、Ｃ、及びＫを省略する。
【００２２】
各色のトナー画像形成部３０は、用いるトナーを除き基本的に同様に構成されており、図９に示されるように、回転する円筒状の像保持体４０と、像保持体４０を帯電する帯電器４２とを備えている。さらに、トナー画像形成部３０は、帯電した像保持体４０に露光光を照射して静電潜像を形成する露光装置４４と、トナーを含んだ現像剤Ｇで静電潜像をトナー画像として現像する現像装置４６とを備えている。
【００２３】
また、トナー画像形成部３０は、図１に示されるように、各色の現像装置４６と図示せぬ供給管を介して接続され、各色の現像装置４６へトナーを供給するための各色のトナーカートリッジ２８を備えている。
【００２４】
また、各色の像保持体４０は、周回移動する転写ベルト５０（詳細は後述）に接触している。そして、転写ベルト５０の周回方向（図中矢印参照）において、上流側からバイオレット（Ｖ）、グリーン（Ｇ）、イエロー（Ｙ）、マゼンタ（Ｍ）、シアン（Ｃ）、及びブラック（Ｋ）のトナー画像形成部３０が、この順番で水平方向に並んで配置されている。各色のトナー画像形成部では、各色の画像を、各色のトナーを用いて形成するようになっている。
【００２５】
転写部３２は、各色の像保持体４０と接触し、各色の像保持体４０に形成されたトナー画像をシート部材Ｐに転写するための転写ベルト５０を備えている。なお、トナーカートリッジ２８及び転写部３２については、詳細を後述する。
【００２６】
定着装置３４は、複数のロール（符号省略）に巻き掛けられ、加熱される定着ベルト６０と、定着ベルト６０に向けてシート部材Ｐを加圧する加圧ロール６２とを備えている。
【００２７】
この構成において、周回する定着ベルト６０と加圧ロール６２とによって、トナー画像が転写されたシート部材Ｐが挟み込まれることで、トナー画像がシート部材Ｐに定着されるようになっている。
【００２８】
〔トナーカートリッジ〕
トナーカートリッジ２８は、内部にトナーを収容しており、装置本体に着脱可能とされている。また、このトナーカートリッジ２８には、内部に収容されたトナーの色、及びトナーの明度等についての情報が入力されたチップ（図示省略）が取り付けられている。
【００２９】
〔転写部〕
転写部３２は、図１に示されるように、複数のロール（符号省略）に巻き掛けられて図中矢印方向に周回する転写ベルト５０（転写体の一例）と、各色の像保持体４０に形成されたトナー画像を転写ベルト５０に転写する各色の一次転写ロール５２と、を備えている。
【００３０】
一次転写ロール５２は、転写ベルト５０を挟んで像保持体４０の反対側に配置されている。そして、一次転写ロール５２は、図示しない給電部によって、トナー極性（本実施形態では一例として負極性）とは逆極性の転写バイアス電圧（正極の電圧）が印加されるようになっている。この転写バイアス電圧の印加によって一次転写ロール５２と像保持体４０との間に転写電流が流れ、像保持体４０に形成されたトナー画像が転写ベルト５０に転写されるようになっている。
【００３１】
このように、イエロー（Ｙ）、マゼンタ（Ｍ）、シアン（Ｃ）、及びブラック（Ｋ）の基準色のトナー画像を転写電流によって転写ベルト５０に転写する第一転写ロール５２Ｙ、Ｍ、Ｃ、Ｋが、第一転写部の一例とされている。また、バイオレット（Ｖ）、グリーン（Ｇ）の特殊色のトナー画像を転写電流によって転写ベルト５０に転写する第一転写部Ｖ、Ｇが、第二転写部の一例とされている。
【００３２】
さらに、転写部３２は、転写ベルト５０が巻き掛けられたロール５６と、転写ベルト５０に対してロール５６の反対側に配置され、転写ベルト５０に転写されたトナー画像をシート部材Ｐに転写する二次転写ロール５４とを備えている。これにより、二次転写ロール５４と転写ベルト５０との間には、シート部材Ｐにトナー画像を転写する転写ニップＮＴが形成されている。
【００３３】
そして、二次転写ロール５４は、図示しない給電部によって、トナー極性とは逆極性の転写バイアス電圧（正極の電圧）が印加されるようになっている。この転写バイアス電圧の印加によって二次転写ロール５４とロール５６との間に転写電流が流れ、転写ニップＮＴを通過するシート部材Ｐに、転写ベルト５０からシート部材Ｐにトナー画像が転写されるようになっている。
【００３４】
この構成において、バイオレット（Ｖ）、グリーン（Ｇ）、イエロー（Ｙ）、マゼンタ（Ｍ）、シアン（Ｃ）、及びブラック（Ｋ）の順番で、転写ベルト５０にトナー画像が一次転写ロール５２によって重畳して一次転写される。また、この重畳したトナー画像が、転写ニップＮＴを通過するシート部材Ｐに、二次転写ロール５４によって二次転写されるようになっている。そして、シート部材Ｐにトナー画像が二次転写された状態では、重畳する順番が逆になり、ブラック（Ｋ）、シアン（Ｃ）、マゼンタ（Ｍ）、イエロー（Ｙ）、グリーン（Ｇ）、及びバイオレット（Ｖ）の順番で、シート部材Ｐに転写されるようになっている。
【００３５】
また、画像形成装置１０では、一次転写ロール５２Ｙ、５２Ｍ、５２Ｃ、５２Ｋの中で転写ベルト５０の周回方向の最も上流側に配置された一次転写ロール５２Ｙによって、イエロー（Ｙ）（周回方向の最上流に配置された基準色の一例）のトナー画像が転写ベルト５０に転写される。そして、一次転写ロール５２Ｖ、５２Ｇは、周回方向の最上流に配置された基準色であるイエロー（Ｙ）に対して、明度の低い低明度色であって、バイオレット（Ｖ）、グリーン（Ｇ）のトナー画像を転写ベルト５０に転写するようになっている。
【００３６】
図８の表には、特殊色として用いられることがあるバイオレット（Ｖ）、グリーン（Ｇ）、オレンジ（Ｏ）、及び透明色であるクリア（Ｗ）の各色について、イエロー（Ｙ）との明度の差が示されている。表中の数値がプラスの場合は、イエロー（Ｙ）より明度が低く、表中の数値がマイナスの場合は、イエロー（Ｙ）より明度が高い。
【００３７】
図８の表に示されるように、バイオレット（Ｖ）、グリーン（Ｇ）、及びオレンジ（Ｏ）の各色が、イエロー（Ｙ）より明度が低く、クリア（Ｗ）が、イエロー（Ｙ）より明度が高い。また、バイオレット（Ｖ）、グリーン（Ｇ）、及びオレンジ（Ｏ）の中では、バイオレット（Ｖ）が最も明度が低く、グリーン（Ｇ）がバイオレット（Ｖ）の次ぎに明度が低い。
【００３８】
そして、本実施形態では、最も明度の低い色の画像を転写ベルト５０に転写する一次転写ロール５２Ｖは、イエロー（Ｙ）のトナー画像を転写ベルト５０に転写する一次転写ロール５２Ｙの隣りに配置されていない。換言すれば、最も明度の高い色の画像を転写ベルト５０に転写する一次転写ロール５２Ｇが、イエロー（Ｙ）のトナー画像を転写ベルト５０に転写する一次転写ロール５２Ｙの隣りに配置されている。具体的には、一次転写ロール５２Ｙの隣りに、一次転写ロール５２Ｇが配置され、一次転写ロール５２Ｇの隣りに、一次転写ロール５２Ｖが配置されている。
【００３９】
なお、各色の明度については、画像カバレッジ１００％の単色画像パッチをシート部材Ｐ上に形成し、この単色画像パッチをＸ−Ｒｉｔｅ  ９３８（エックスライト株式会社製）を用いて測定することで得られる。
【００４０】
〔その他〕
次に、本実施形態に係る画像形成装置１０によってシート部材Ｐにトナー画像を転写する工程、及び本実施形態に対する比較形態に係る画像形成装置１００によってシート部材Ｐにトナー画像を転写する工程について図２〜図７を用いて説明する。なお、各図には、像保持体４０、転写ベルト５０、及び一次転写ロール５２が示され、他の部材が省略されている。
【００４１】
［比較形態］
先ず、比較形態に係る画像形成装置１００によってシート部材Ｐにトナー画像を転写する工程について図６、図７を用いて説明する。
【００４２】
比較形態に係る画像形成装置１００では、トナー画像形成部３０Ｖの位置とトナー画像形成部３０Ｇと位置とが、実施形態に係る画像形成装置１０と比して、逆になっている。つまり、一次転写ロール５２Ｙの隣りに、一次転写ロール５２Ｖが配置されている。また、画像形成装置１００を用いて、トナー画像形成部３０Ｙ、及びトナー画像形成部３０Ｖだけでトナー画像が形成され、シート部材Ｐに転写するトナー画像は、トナー画像形成部３０Ｖで形成されたトナー画像の一部にトナー画像形成部３０Ｙで形成されたトナー画像が重畳した画像である。
【００４３】
負極に帯電したバイオレット（Ｖ）色のトナー４８Ｖで形成されたトナー画像が、図６（Ａ）に示されるように、一次転写ロール５２Ｖから像保持体４０Ｖに向かって流れる転写電流により、転写ベルト５０に転写される。さらに、周回する転写ベルト５０によって、トナー４８Ｖで形成されたトナー画像が搬送される。そして、負極に帯電したイエロー（Ｙ）色のトナー４８Ｙで形成されたトナー画像が、図６（Ｂ）に示されるように、一次転写ロール５２Ｙから像保持体４０Ｙに向かって流れる転写電流により、バイオレット（Ｖ）色のトナー画像の一部に重畳して転写される。これにより、転写ベルト５０上には、イエロー（Ｙ）色のトナー４８Ｙが重なっていないバイオレット（Ｖ）色のトナー４８Ｖと、イエロー（Ｙ）色のトナー４８Ｙが重なっているバイオレット（Ｖ）色のトナー４８Ｖとが存在する。
【００４４】
そうすると、一次転写ロール５２Ｙと像保持体４０Ｙとの間をバイオレット（Ｖ）色のトナー画像が通過する際に、トナー４８Ｙが重なっていないトナー４８Ｖの帯電量は、トナー４８Ｙが重なっているトナー４８Ｖの帯電量に比して、増加量が大きい。
【００４５】
そして、二次転写ロール５４からロール５６に向かう転写電流によって、図７（Ａ）（Ｂ）に示されるように、トナー４８Ｙ及びトナー４８Ｖによって形成された転写ベルト５０上のトナー画像が、搬送されるシート部材Ｐに転写される。
【００４６】
なお、図７（Ａ）は、トナー画像がシート部材Ｐに転写される前の状態を示し、図７（Ｂ）は、トナー画像がシート部材Ｐに転写された後の状態を示している。また、図７（Ａ）（Ｂ）については、転写ベルト５０に転写されたトナー、転写ベルト５０に残留したトナー、及びシート部材Ｐに転写されたトナーが容易に分かるように、各構成が模式図的に示されている。
【００４７】
ここで、トナー４８Ｙが重なっているトナー４８Ｖとシート部材Ｐとの間には、トナー４８Ｙが存在し、さらに、トナー４８Ｙが重なっているトナー４８Ｖの帯電量は、トナー４８Ｙが重なっていないトナー４８Ｖの帯電量と比して小さい。これにより、図７（Ｂ）に示されるように、トナー４８Ｙが重なっているトナー４８Ｖは、シート部材Ｐに転写されず、転写ベルト５０に残留する。
【００４８】
このため、出力画像に画像ムラが生じてしまう。そして、バイオレット（Ｖ）は、イエロー（Ｙ）に対して、最も明度の低い色であるため、この画像ムラが目立ってしまう。
【００４９】
［本実施形態（１）］
次に、本実施形態（１）に係る画像形成装置１０によってシート部材Ｐにトナー画像を転写する工程について図２、図３を用いて説明する。
【００５０】
本実施形態に係る画像形成装置１０では、前述したように、一次転写ロール５２Ｙの隣りに、一次転写ロール５２Ｇが配置され、一次転写ロール５２Ｇの隣りに一次転写ロール５２Ｖが配置されている。また、画像形成装置１０を用いて、トナー画像形成部３０Ｙ、及びトナー画像形成部３０Ｖだけでトナー画像が形成され、シート部材Ｐに転写するトナー画像は、トナー画像形成部３０Ｖで形成されたトナー画像の一部にトナー画像形成部３０Ｙで形成されたトナー画像が重畳した画像である。
【００５１】
負極に帯電したバイオレット（Ｖ）色のトナー４８Ｖで形成されたトナー画像が、図２（Ａ）に示されるように、一次転写ロール５２Ｖから像保持体４０Ｖに向かって流れる転写電流により、転写ベルト５０に転写される。さらに、周回する転写ベルト５０によって、トナー４８Ｖで形成されたトナー画像が搬送される。そして、トナー４８Ｖで形成されたトナー画像が、図２（Ｂ）に示されるように、一次転写ロール５２Ｇと像保持体４０Ｇとの間を通過する。この際に、一次転写ロール５２Ｇから像保持体４０Ｇに向かって流れる転写電流により、全てのトナー４８Ｖの帯電量が増加する。
【００５２】
さらに、周回する転写ベルト５０によって、トナー４８Ｖで形成されたトナー画像が搬送される。そして、負極に帯電したイエロー（Ｙ）色のトナー４８Ｙで形成されたトナー画像が、図２（Ｃ）に示されるように、一次転写ロール５２Ｙから像保持体４０Ｙに向かって流れる転写電流により、バイオレット（Ｖ）色のトナー画像の一部に重畳して転写される。これにより、転写ベルト５０上には、イエロー（Ｙ）色のトナー４８Ｙが重なっていないバイオレット（Ｖ）色のトナー４８Ｖと、イエロー（Ｙ）色のトナー４８Ｙが重なっているバイオレット（Ｖ）色のトナー４８Ｖとが存在する。
【００５３】
さらに、二次転写ロール５４からロール５６に向かう転写電流によって、図３（Ａ）（Ｂ）に示されるように、トナー４８Ｙ及びトナー４８Ｖによって形成された転写ベルト５０上のトナー画像が、搬送されるシート部材Ｐに転写される。
【００５４】
なお、図３（Ａ）は、トナー画像がシート部材Ｐに転写される前の状態を示し、図３（Ｂ）は、トナー画像がシート部材Ｐに転写された後の状態を示している。また、図３（Ａ）（Ｂ）については、転写ベルト５０に転写されたトナー、及びシート部材Ｐに転写されたトナーが容易に分かるように、各構成が模式図的に示されている。
【００５５】
画像形成装置１０では、比較形態に係る画像形成装置１００と相違し、トナー４８Ｖで形成されたトナー画像が、一次転写ロール５２Ｇと像保持体４０Ｇとの間を通過する。この際に、一次転写ロール５２Ｇから像保持体４０Ｇに向かって流れる転写電流により、全てのトナー４８Ｖの帯電量が増加する。このため、図３（Ｂ）に示されるように、トナー４８Ｙが重なっているトナー４８Ｖも、シート部材Ｐに転写され、転写ベルト５０にトナー４８Ｖが残留しない。
【００５６】
このため、比較形態に係る画像形成装置１００の出力画像と比して、出力画像における画像ムラの発生が抑制される。
【００５７】
［本実施形態（２）］
次に、本実施形態（２）に係る画像形成装置１０によってシート部材Ｐにトナー画像を転写する工程について図４、図５を用いて説明する。
【００５８】
画像形成装置１０では、トナー画像形成部３０Ｙ、及びトナー画像形成部３０Ｇだけでトナー画像が形成され、シート部材Ｐに転写するトナー画像は、トナー画像形成部３０Ｇで形成されたトナー画像の一部にトナー画像形成部３０Ｙで形成されたトナー画像が重畳した画像である。
【００５９】
負極に帯電したグリーン（Ｇ）色のトナー４８Ｇで形成されたトナー画像が、図４（Ａ）に示されるように、一次転写ロール５２Ｇから像保持体４０Ｇに向かって流れる転写電流により、転写ベルト５０に転写される。さらに、周回する転写ベルト５０によって、トナー４８Ｇで形成されたトナー画像が搬送される。そして、負極に帯電したイエロー（Ｙ）色のトナー４８Ｙで形成されたトナー画像が、図４（Ｂ）に示されるように、一次転写ロール５２Ｙから像保持体４０Ｙに向かって流れる転写電流により、グリーン（Ｇ）色のトナー画像の一部に重畳して転写される。
【００６０】
これにより、転写ベルト５０上には、イエロー（Ｙ）色のトナー４８Ｙが重なっていないグリーン（Ｇ）色のトナー４８Ｇと、イエロー（Ｙ）色のトナー４８Ｙが重なっているグリーン（Ｇ）色のトナー４８Ｇとが存在する。
【００６１】
そうすると、一次転写ロール５２Ｙと像保持体４０Ｙとの間をグリーン（Ｇ）色のトナー画像が通過する際に、トナー４８Ｙが重なっていないトナー４８Ｇの帯電量が、トナー４８Ｙが重なっているトナー４８Ｇの帯電量に比して、増加量が大きい。
【００６２】
そして、二次転写ロール５４からロール５６に向かう転写電流によって、図５（Ａ）（Ｂ）に示されるように、トナー４８Ｙ及びトナー４８Ｇによって形成された転写ベルト５０上のトナー画像が、搬送されるシート部材Ｐに転写される。
【００６３】
なお、図５（Ａ）は、トナー画像がシート部材Ｐに転写される前の状態を示し、図５（Ｂ）は、トナー画像がシート部材Ｐに転写された後の状態を示している。また、図５（Ａ）（Ｂ）については、転写ベルト５０に転写されたトナー、転写ベルト５０に残留したトナー、及びシート部材Ｐに転写されたトナーが容易に分かるように、各構成が模式図的に示されている。
【００６４】
トナー４８Ｙが重なっているトナー４８Ｇとシート部材Ｐとの間には、トナー４８Ｙが存在し、さらに、トナー４８Ｙが重なっているトナー４８Ｇの帯電量は、トナー４８Ｙが重なっていないトナー４８Ｇの帯電量と比して小さい。このため、図５（Ｂ）に示されるように、トナー４８Ｙが重なっているトナー４８Ｇは、シート部材Ｐに転写されず、転写ベルト５０に残留する。
【００６５】
このため、出力画像に画像ムラが生じてしまう。しかし、バイオレット（Ｖ）と異なり、グリーン（Ｇ）は、イエロー（Ｙ）に対して、最も明度の低い色ではない。つまり、グリーン（Ｇ）とイエロー（Ｙ）との明度の差は、バイオレット（Ｖ）とイエロー（Ｙ）との明度の差に比して、小さい。これにより、比較形態に係る画像形成装置１００の出力画像と比して、画像ムラが目立ってしまうのが抑制される。
【００６６】
（まとめ）
以上説明したように、画像形成装置１０では、一次転写ロール５２Ｙの隣りに、一次転写ロール５２Ｇが配置され、一次転写ロール５２Ｇの隣りに一次転写ロール５２Ｖが配置されている。つまり、最も明度の低い低明度色の画像を転写ベルト５０に転写する一次転写ロール５２Ｖが、イエロー（Ｙ）のトナー画像を転写ベルト５０に転写する一次転写ロール５２Ｙの隣りに配置されていない。このため、イエロー（Ｙ）色（周回方向の最上流に配置された基準色の一例）よりも低い明度の色を用いることで生じる出力画像の品質低下が抑制される。
【００６７】
＜第２実施形態＞  
次に、本発明の第２実施形態に係る画像形成装置の一例について図１１に従って説明する。なお、第１実施形態と同一部材については、同一符号を付してその説明を省略し、第１実施形態と異なる部分を主に説明する。
【００６８】
本第２実施形態の画像形成装置７０では、図１１に示されるように、第一特殊色（ＰＡ）、第二特別色（ＰＢ）、イエロー（Ｙ）、マゼンタ（Ｍ）、シアン（Ｃ）、及びブラック（Ｋ）の順番で、トナー画像形成部３０が配置されている。そして、第一特殊色（ＰＡ）、第二特別色（ＰＢ）、イエロー（Ｙ）、マゼンタ（Ｍ）、シアン（Ｃ）、及びブラック（Ｋ）の順番で、転写ベルト５０にトナー画像が重畳して一次転写されるようになっている。つまり、転写ベルト５０の周回方向において、一次転写ロール５２ＰＡ（第二転写部の一例）、一次転写ロール５２ＰＢ（第二転写部の一例）、一次転写ロール５２Ｙ、一次転写ロール５２Ｍ、一次転写ロール５２Ｃ、及び一次転写ロール５２Ｋがこの順番で配置されている。
【００６９】
そして、画像形成装置７０は、第一特殊色（ＰＡ）、第二特別色（ＰＢ）、及びイエロー（Ｙ）の各色の明度の情報を、トナーカートリッジ２８に取り付けられたチップから入手し、イエロー（Ｙ）との明度の差を判断する判断部７４を備えている。さらに、画像形成装置７０は、判断部７４の判断結果に基づいて、ユーザへの警告を表示する表示部材７２（警告部材の一例）を備えている。
【００７０】
具体的には、一次転写ロール５２ＰＡ、及び一次転写ロール５２ＰＢの中で、周回方向の最上流に配置された基準色であるイエロー（Ｙ）に対して、明度の低い色の画像を転写ベルト５０に転写する一次転写ロール５２が１個の場合ある。この場合は、第一特殊色（ＰＡ）、第二特別色（ＰＢ）の中で、イエロー（Ｙ）に対して、明度の低い低明度色の画像を転写ベルト５０に転写する一次転写ロール５２が一次転写ロール５２Ｙの隣りに配置している場合に、表示部材７２が警告を表示する。これにより、出力画像に画像ムラが生じる可能性が高いことが、ユーザに知らされる。
【００７１】
さらに、第一特殊色（ＰＡ）、第二特別色（ＰＢ）の中で、周回方向の最上流に配置された基準色であるイエロー（Ｙ）に対して、明度の低い色の画像を転写ベルト５０に転写する一次転写ロール５２が複数個（本実施形態では２個）の場合ある。この場合は、第一特殊色（ＰＡ）、第二特別色（ＰＢ）の中で、最も明度の低い低明度色の画像を転写ベルト５０に転写する一次転写ロール５２が一次転写ロール５２Ｙの隣りに配置している場合に、表示部材７２が警告を表示する。これにより、出力画像に画像ムラが生じる可能性が高いことが、ユーザに知らされる。
【００７２】
これにより、ユーザはトナーカートリッジ２８の入れ替えを検討する。そして、ユーザが、トナーカートリッジ２８の位置を交換することにより、出力画像における画像ムラの発生が抑制される。
【００７３】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記第１、第２実施形態では、一次転写ロール５２Ｙ、５２Ｍ、５２Ｃ、５２Ｋの中で転写ベルト５０の周回方向の最も上流側には、一次転写ロール５２Ｙが配置されたが、一次転写ロール５２Ｍ、又は一次転写ロール５２Ｃが配置されてもよい。最も上流側に一次転写ロール５２Ｍが配置された場合は、マゼンタ（Ｍ）が周回方向の最上流に配置された基準色となり、最も上流側に一次転写ロール５２Ｃが配置された場合は、シアン（Ｃ）が周回方向の最上流に配置された基準色となる。
【００７４】
また、上記第１実施形態では、転写ベルト５０の周回方向において、一次転写ロール５２Ｙ、５２Ｍ、５２Ｃ、５２Ｋに対して上流側に配置され一次転写ロール５２Ｖ、５２Ｇによって転写されるトナー画像の色は、両方ともイエロー（Ｙ）に対して明度が低くされたが、１個がイエロー（Ｙ）に対して明度が低くされていればよく、そのイエロー（Ｙ）に対して明度が低くされたトナー画像を転写ベルト５０に転写する一次転写ロールが、一次転写ロール５２Ｙの隣りに配置されていなければよい。
【００７５】
また、上記第１、２実施形態では、特殊色は２色とされたが、３色以上であってもよい。そして、３色以上で低明度色が一色の場合は、低明度色以外の色を転写ベルト５０に転写する一次転写ロール５２が一次転写ロール５２Ｙの隣りに配置されていればよい。また、３色以上で複数の低明度色がある場合は、最も明度の低い低明度色以外の色を転写ベルト５０に転写する一次転写ロール５２が一次転写ロール５２Ｙの隣りに配置されていればよい。
【００７６】
また、特殊色とて、例えば、オレンジ、ホワイト等の他の色を用いてもよい。
【００７７】
また、上記第２実施形態では、ユーザへの警告を表示部材７２に警告を表示することで行ったが、音等の他の手段で警告してもよい。
【符号の説明】
【００７８】
１０              画像形成装置
５０              転写ベルト（転写体の一例）
５２Ｙ            一次転写ロール（第一転写部の一例）
５２Ｍ            一次転写ロール（第一転写部の一例）
５２Ｃ            一次転写ロール（第一転写部の一例）
５２Ｋ            一次転写ロール（第一転写部の一例）
５２Ｖ            一次転写ロール（第二転写部の一例）
５２Ｇ            一次転写ロール（第二転写部の一例）
５２ＰＡ          一次転写ロール（第二転写部の一例）
５２ＰＢ          一次転写ロール（第二転写部の一例）
７０              画像形成装置
７２              表示部材（警告部材の一例）
【図１】
2016018041.tif 000003
【図２】
2016018041.tif 000004
【図３】
2016018041.tif 000005
【図４】
2016018041.tif 000006
【図５】
2016018041.tif 000007
【図６】
2016018041.tif 000008
【図７】
2016018041.tif 000009
【図８】
2016018041.tif 000010
【図９】
2016018041.tif 000011
【図１０】
2016018041.tif 000012
【図１１】
2016018041.tif 000013